(57)【要約】      （修正有）【課題】化学的に安全で移動可能な電力蓄積手段を得る。【解決手段】市販電気・発電機・自然発電機などから供給された電気をコンプレサー等の空気圧縮機で、圧縮空気に換え、これをボンベ１（小型・潜水用のボンベも含む）に送り、ボンベ１に圧縮された空気を蓄積させる。この蓄積された圧縮された空気が放出することにより、発電機のプロペラ（タービン）を回転させ発電する。  また、圧縮する空気が放出されることによって、ボンベ・タンク等が冷えることを利用する。【選択図】図３
2006070901.tif 000002
【特許請求の範囲】
【請求項１】
市販電気・発電機・自然発電機などから供給された電気をコンプレサー等の空気圧縮機で、圧縮空気に換え、これを「１  ボンベ（小型・潜水用のボンベまたも含む）」に送り、ボンベ１に圧縮された空気を蓄積させる。この蓄積された空圧縮された空気が放出することにより、発電機の「８  プロペラ（タービン）」を回転させ発電する。
【請求項２】
「３  電磁弁１」と流入する圧縮空気と電磁弁２で放出する圧縮空気を調節する。
【請求項３】
圧縮された空気を放出することによって「１  ボンベ」が冷え、これに「１０扇風機・ファン」で、空気をボンベ１にあてることにより、冷えた空気を作り出す。
【請求項４】
「１  ボンベ」を水につけることによって、発電しながら「１１  水」を冷やす。
【請求項５】
「１  ボンベ」にジグザクパイプ９をつけることにより、空気を冷やす表面積を増やし、この「１２  ジグザグパイプ」に空気を通すことによって空気を冷やしやすくする。
【請求項６】
ボンベに付けた「１２ジグザクしたパイプ」を「１４  家・工場場・作業場」など「１３  換気扇・ファン」に取り付けて家・もしくは場・作業場の中に、冷風を送風する。
【請求項７】
「１５  ビニールハウス・農業用ガラスハウス・硬質プラスチックハウス・中期展張ハウス等」のファンに「ボンベに付けたジグザクしたパイプ９」をつけてに、冷風を送風する。
【請求項８】
既存やこれから造られる「１７  丸型のガスタンク」に蓄電（圧縮空気を蓄積）する。
【請求項９】
運搬・収納のために、「１８小型・大型の立方体のタンク」に蓄電（圧縮空気を蓄積）する。
【請求項１０】
冬場風が強いところで蓄電（圧縮空気を蓄積）し、夏場に発電することによっって生じる冷却効果によりヒートアイランド現象を防止する。
【請求項１１】
重油タンクも蓄電（圧縮空気を蓄積）する。
【発明の詳細な説明】
【技術分野】
【０００１】  本発明は、化学的に安全で、蓄電量が多くかつ冷却能力も備えた蓄電システムである。
【背景技術】  今まで、物理的に蓄電するシステムはダムなど、水を使ったものであった。
【発明の開示】
【課題を解決するための手段】
【０００２】  ボンベや、ガスタンクなどに圧縮した空気を蓄積することにより蓄電する。
【発明の効果】
【０００３】  電力が多く蓄積される。【０００４】  化学的に安全である。【０００５】  発電することによって、空気の冷却の効果が得られる。【０００６】  冬場風が強いところ（日本海など）で蓄電（圧縮空気を蓄積）し、夏場に発電することによっって生じる冷却効果によりヒートアイランド現象を防止する。【０００７】  大地震のとき電力を臨時的に供給できる。
【発明を実施するための最良の形態】
【実施例１】
【０００８】  市販電気・発電機・自然発電機などからの電気を、コンプレサー等の空気圧縮機で圧縮空気に換え、これを「１  ボンベ（小型・潜水用のボンベも含む）」に送り、ボンベ１に圧縮された空気を蓄積させる。その後、「３  電磁弁１」を開け「４  電磁弁２」を開けることにより蓄積された圧縮された空気が放出され、発電機の「８  プロペラ（タービン）」を回転させ適度に発電する。【００１０】  市販電気・発電機・自然発電機などから供給された電気をコンプレサー等の空気圧縮機で、圧縮空気に換え、これを「３  電磁弁１」を開け、「１  ボンベ（小型・潜水用のボンベも含む）」に流入させ、「１  ボンベ」に圧縮された空気を蓄積させる。この蓄積された空圧縮された空気を電磁弁２が調節しながら放出することにより、発電機の「９  プロペラ（タービン）」を回転させ適度に発電する。
【実施例２】
【０００９】  発電しながら、「１  ボンベ」自体が冷却する。これに「１０  扇風機・ファン」などで空気をこの冷却した「１  ボンベ」や「１２  ジグザグパイプ」に当てることにより、「▲１３▼冷えた空気」をつくりだす。
【実施例３】
【００１０】  「１  ボンベ」を「１１  水」につけ発電することによって「１１  水」を冷やす。
【実施例４】
【００１１】  冬期、風が強い日本海側に風力発電を設置し、「１  ボンベ」に蓄電（圧縮された空気の蓄積）し、夏期に発電することによってヒートアイランド現象を緩和する。
【産業上の利用可能性】
【００１０】  電力を多大に蓄電でき、かつ、電力の移動ができる。また、化学的に安全であり、夏期においては冷却効果が見込まれ、ヒートアイランド現象を抑えられる可能性がある。
【図面の簡単な説明】
【００１１】
【図１】「６  ソラーパネル」などの電力供給により「コンプレッサーなどの空気圧縮機」を稼働させ、圧縮した空気を送りボンベに圧縮空気を蓄積する図
【図２】「４  電磁弁２」によって圧縮空気を放出し、発電機（タービンも含む）のプロペラを回転させ、電力を供給する図。
【図３】図２によって電力が供給されることによって、「７  照明などの電化製品」が稼働する図
【図４】ボンベから電力を供給することによって、「１  ボンベ」の中の気圧が減圧現象することによって、「１  ボンベ自体」が冷え、これに「１０扇風機・ファン」で風をあてることによって冷えた空気をつくる図。
【図５】ボンベから電力を供給することによって、「１  ボンベ」の中の気圧が減圧現象することによって、「１  ボンベ自体」が冷え、これを「１１  水」に「１  ボンベ自体」をつけることによって、周りの水を冷やす図。
【図６】「１  ボンベ」に「１２  ジグザクパイプ」をつけることによって表面積がを増やし、これに「１０扇風機・ファン」で風をあてることによって冷えた空気を効率よくつくる図。
【図７】「１  ボンベ」につけた「１２  ジグザクパイプ」を「１４家・工場・作業場」の「１３  換気扇・ファン」に装着した図。
【図８】図７で「１２  ジグザクパイプ」を「１４  家・工場・作業場」の「１３  換気扇・ファン」に装着しことによって、「１４  家・工場・作業場」内に冷えた空気を供給する図。
【図９】「１５  ビニールハウス・農業用ガラスハウス・硬質プラスチックハウス・中期展張ハウス等」のファンに「ボンベに付けたジグザクしたパイプ９」をつけてに、冷風を供給する図。
【図１０】大きな「１７  ガスタンク」圧縮空気を詰めることにより、大容量に蓄電（圧縮空気の大量蓄積）出来る図。
【図１１】運搬・収納のために、「１８小型・大型の立方体のタンク」に蓄電（圧縮空気を蓄積）する図。
【図１２】風が強い冬の日本海側で風力発電で蓄電（圧縮空気の蓄積）する図。
【図１３】図１２で冬期の日本海側で蓄電（圧縮空気の蓄積）した電力を、夏期に供給（減圧による冷却効果）することによってヒートアイランド効果を緩和する。
【符号の説明】
【００１７】  １  ガスボンベ
２  発電機・タービン
３  コンプレッサーなどの空気圧縮機
４  電磁弁１
５  電磁弁２
６  ソラーパネル
７  照明などの電化製品
８  発電機のプロペラ
９  自転車と同じ発電機
１０  扇風機
１１  水
１２  ジクザクパイプ
１３  換気扇・ファン
１４  家・工場・作業場など
１５  ビニールハウス・農業用ガラスハウス・硬質プラスチックハウス・中期展張ハウス等
１６  作物
１７  ガスタンク
１８  立方体型ガスタンク
１９  風力発電
２０  日本
２１  日本海側
【図１】
2006070901.tif 000003
【図２】
2006070901.tif 000004
【図３】
2006070901.tif 000005
【図４】
2006070901.tif 000006
【図５】
2006070901.tif 000007
【図６】
2006070901.tif 000008
【図７】
2006070901.tif 000009
【図８】
2006070901.tif 000010
【図９】
2006070901.tif 000011
【図１０】
2006070901.tif 000012
【図１１】
2006070901.tif 000013
【図１２】
2006070901.tif 000014
【図１３】
2006070901.tif 000015